(57)【要約】      （修正有）【課題】製造に手間がかからず、生産性が良好な、保持力にすぐれるメガネフレーム用のモダンを提供する。【解決手段】軟質合成樹脂のエラストマーを素材し、細長いへら状をなしたモダン本体１の後端部寄りに、側面を水平方向に貫く枢支軸１４を設け、前記枢支軸によって、軟質合成樹脂のエラストマーを素材した可動片９を、摺接状態で軸支せしめると共に、モダン本体１と可動片９の摺接面１２にそれぞれ複数の凹凸５を形成し、該凹凸により可動片９の回動時にクリック感が生じさせつつ、凹凸５の間隔に応じた角度で停止させられる様にした。【選択図】図２
0003188949.tif 000002
【実用新案登録請求の範囲】
【請求項１】
軟質合成樹脂のエラストマーを素材し、細長いへら状をなしたモダン本体の後端部寄りに、側面を水平方向に貫く枢支軸を設け、前記枢支軸によって、軟質合成樹脂のエラストマーを素材した可動片を、摺接状態で軸支せしめると共に、モダン本体と可動片の摺接面にそれぞれ複数の凹凸を形成し、該凹凸により可動片の回動時にクリック感が生じさせつつ、凹凸の間隔に応じた角度で停止させられる様にしたことを特徴とするメガネフレーム用のモダン。
【考案の詳細な説明】
【技術分野】
【０００１】
この考案はメガネフレーム用のモダン、詳しくは、保持力にすぐれたメガネフレーム用のモダンに関するものである。
【背景技術】
【０００２】
モダンはテンプルエンドとも呼ばれるメガネフレームの主要構成部材であり、メガネフレームを装用者の耳に掛けて固定する為になくてはならないものである。
【先行技術文献】
【特許文献】
【０００３】
【特許文献１】実開平２−１３２２１
【非特許文献】
【０００４】
【非特許文献１】なし
【考案の概要】
【考案が解決しようとする課題】
【０００５】
メガネフレームは装用者の鼻と両耳との３点で装着者の顔面の所定位置に保持する様になっており、テンプルの後端に接続されるモダンは、一般的に耳の上部から後方に曲り込む様に弓形に湾曲した形状を呈している。一方、メガネフレーム装用者の頭部の寸法は様々であるので、小売店などにおいてメガネを調製する際には、装用者の頭部の寸法に合わせて、その都度モダンの屈曲位置や屈曲具合（曲率）などを調整することが行われている。しかしながら、これら作業は熟練を要し、手間もかかる為、コストアップの大きな要因の一つとなっていた。又、長期間の使用により、頭部の寸法とモダンの屈曲位置や屈曲具合とにズレが生じ、メガネフレームの適正な保持が出来なくなる場合もあった。
【０００６】
本考案者は、メガネの調製の際のモダンの屈曲位置や屈曲具合の調整作業を簡略化しても、常に安定したメガネフレームの保持が可能なモダンを実現すべく研究を行った結果、寸法についての許容範囲が広く、常に安定した保持が可能なモダンを開発するに至り、本考案としてここに提案するものである。
【課題を解決するための手段】
【０００７】
軟質合成樹脂のエラストマーを素材し、細長いへら状をなしたモダン本体の後端部寄りに、側面を水平方向に貫く枢支軸を設け、前記枢支軸によって、軟質合成樹脂のエラストマーを素材した可動片を、摺接状態で軸支せしめると共に、モダン本体と可動片の摺接面にそれぞれ複数の凹凸を形成し、該凹凸により可動片の回動時にクリック感が生じさせつつ、凹凸の間隔に応じた角度で停止させられる様にして、上記課題を解決した。
【考案の効果】
【０００８】
可動片を内側、即ち、図１において時計回り方向に折り曲げようとすると、モダン本体と可動片の凹凸は共に軟質合成樹脂のエラストマーで構成されているので、それぞれ弾性変形しながら、相対的に移動し、別の凹凸同士が係合し、安定的にその角度を保持する。つまり、可動片をモダン本体に対してクリック感を持たせながら折り曲げることが出来るのである。従って、メガネ装着者の頭の寸法がメガネフレーム寸法と多少一致していないときでも、可動片を折り曲げて装用者の耳の後方下部に回り込ませれば、メガネフレームを装用者に安定的に保持させることが可能となる。
又、凹凸はモダン本体及び可動片の成型時に同時に形成されるので、製造には特に手間も掛からず、生産性も良好である。従って、メガネ調製時の面倒なモダンの調整作業を簡略化させることが可能で、メガネ装用者の利便性向上に資する効果を有し、高い実用性を有する。
【図面の簡単な説明】
【０００９】
【図１】この考案に係るメガネフレームのモダンの一実施例の側面図。
【図２】その要部の拡大分解斜視図。
【図３】同じく、その要部の拡大斜視図。
【考案を実施するための形態】
【００１０】
メガネフレームのモダンを、軟質合成樹脂のエラストマーを素材とした細長いヘラ状のモダン本体と、同じく軟質合成樹脂のエラストマーを素材とした可動片とから構成し、モダン本体の後端に可動片の前端を摺接状態で枢支し、それぞれの摺接面に凹凸を形成した点に最大の特徴が存する。
【実施例】
【００１１】
図中１は軟質合成樹脂のエラストマーを素材とした細長いヘラ状をなしたモダン本体であり、この実施例においては、１２ｍｍ乃至２２ｍｍ程度の長さを有している。
そして、このモダン本体１の前端からは、軸芯に沿って長孔２が形成されており、この長孔２内にテンプル３の後部を嵌め込むことにより、テンプル３に接続できる様になっている。又、後端面１５からは前方に向かって、上下を貫いた平行溝４が形成されていると共に、後端寄りには対向した両側面７，７を水平に貫く透孔６が形成されている。更に、前記平行溝４の対向した一対の内側面８には透孔６を中心に放射状に複数の凹凸５が形成されている。
【００１２】
一方、９は可動片であり、モダン本体と同様、軟質合成樹脂のエラストマーを素材とし、前記モダン本体１より短いチップ状を呈しており、モダン本体１とほぼ同じ幅と厚みを有している。又、この可動片９の長手方向一方の端面には、前記本体１の平行溝４の幅ａよりわずかに小さい厚みａ’を有し、前記モダン本体１の平行溝４に嵌め込める寸法を有する円弧状の張り出し部１０が形成されており、この張り出し部１０の中央にもその表裏を貫く透孔１１が形成されている。
又、この張り出し部１０の表裏つまり、モダン本体１の平行溝４の内側面８に接する摺接面１２には、前記平行溝４の凹凸５と同じピッチで放射状の凹凸１３が形成されている。この凹凸５及び１３は、以下に述べる通り、可動片９にクリック感を与えつつ、モダン本体１に対して、可動片９を変位、つまり折り曲げられる様にする為のものであり、凹凸５及び１３の数に応じて折り曲げ角度の数が決められ、たとえば凹凸５及び１３がそれぞれ３コの形成されている場合は、３つの角度で選択的に折り曲げられる。又、この可動片９は、図示を省略したストッパーにより、モダン本体１の軸芯Ｘより上方、つまり図１において軸芯Ｘより反時計回り方向右斜め上方には折り曲げられない様になっている。
そして、張り出し部１０は平行溝４に嵌め込まれ、透孔６及び１１を貫く枢支軸１４によって回動自在に固定されている。
なお、凹凸５及び１３はモダン本体１及び可動片９を射出成型等の手法により作るとき、同時に形成される。
【００１３】
なお、上記実施例においては、モダン本体１に平行溝４を、可動片９に張り出し部１０を設けたが、これとは逆に、モダン本体１に張り出し部１０を、可動片９に平行溝４を設けても良く、要するに、平行溝４と張り出し部１０との組合せによって、モダン本体１の後端に可動片９が回動自在に枢支されていれば良いのである。
【００１４】
この考案は、上記の通りの構成を有するものであり、可動片９を内側、即ち、図１において時計回り方向に折り曲げようとすると、平行溝４の凹凸５と張り出し部１０の凹凸１３は共に軟質合成樹脂のエラストマーで構成されているので、それぞれ弾性変形しながら、相対的に移動し、隣接した凹凸５と１３とが係合し、安定的にその角度を保持する。つまり、可動片９をモダン本体１に対してクリック感を持たせながら折り曲げることが出来るのである。従って、メガネ装着者の頭の寸法がメガネフレーム寸法と多少一致していないときでも、可動片９を折り曲げて装用者の耳の後方下部に回り込ませれば、メガネフレームを装用者に安定的に保持させることが可能となる。
又、凹凸５及び１３はモダン本体１及び可動片９の成型時に同時に形成されるので、製造には特に手間も掛からず、生産性も良好である。従って、メガネ調製時の面倒なモダンの調整作業も簡略化させることが可能で、メガネ装用者の利便性向上に資する効果を有し、高い実用性を有する。
【産業上の利用可能性】
【００１５】
一般の視力矯正用メガネだけではなく、サングラスや激しい振動に耐えられなければならないスポーツ用メガネにおいても利用可能である。
【符号の説明】
【００１６】
１．モダン本体
２．長孔
３．テンプル
４．平行溝
５．凹凸
６．透孔
７．側面
８．内側面
９．可動片
１０．張り出し部
１１．透孔
１２．摺接面
１３．凹凸
１４．枢支軸
１５．後端面
【図１】
0003188949.tif 000003
【図２】
0003188949.tif 000004
【図３】
0003188949.tif 000005